(57)【要約】【課題】高さ調整を容易に行うことができる安価な楽器用スタンドを提供すること。【解決手段】楽器設置台２０はスタンド本体３０上に設置され、スタンド本体３０と楽器設置台２０とは連結部７０により連結される。連結部７０はゴム部８１を有するため、２つの脚柱３１の高さが不揃いとなった場合にも、楽器設置台２０を支持することができる。このため、演奏者は脚柱３１の高さを１つずつ変更していくことができるため、容易に高さ調整することができる。【選択図】図２
2018136512.tif 000002
【特許請求の範囲】
【請求項１】
各々高さ調整自在である複数の脚柱を備えるスタンド本体と、
前記スタンド本体上に設置され、楽器が設置される楽器設置台と、
弾性体を有し、前記スタンド本体と前記楽器設置台とを連結する連結部と、を備えることを特徴とする楽器用スタンド。
【請求項２】
前記連結部は、前記楽器設置台と接続する第１接続部と、前記スタンド本体と接続する第２接続部と、を有し、前記弾性体は、前記第１接続部と前記第２接続部との間に位置することを特徴とする請求項１に記載の楽器用スタンド。
【請求項３】
前記第１接続部は、
前記楽器設置台の前記スタンド本体と対向する対向面に沿うプレートと、
前記プレートを前記楽器設置台の前記対向面に固定する固定具と、を有し、
前記固定具により前記プレートが前記楽器設置台の前記対向面に固定されることにより、前記第１接続部が前記楽器設置台に接続されることを特徴とする請求項２に記載の楽器用スタンド。
【請求項４】
前記固定具は雄ねじ部を有し、
前記プレートは前記雄ねじ部を通す貫通孔を有し、
前記楽器設置台は、前記貫通孔を貫通した前記雄ねじ部と螺合する雌ねじ部を前記対向面に有することを特徴とする請求項３に記載の楽器用スタンド。
【請求項５】
前記弾性体は、ゴムであることを特徴とする請求項１乃至請求項４の何れかに記載の楽器用スタンド。
【発明の詳細な説明】
【技術分野】
【０００１】
本発明は、楽器用スタンドに関するものである。
【背景技術】
【０００２】
特許文献１には、例えばマリンバなどの音板打楽器が設置される楽器設置台と、楽器設置台の角度調整する自在継手とを備える楽器用スタンドが記載されている。特許文献１に記載の楽器用スタンドは、自在継手を備えることにより、高さ調整を容易に行うことができる。
【先行技術文献】
【特許文献】
【０００３】
【特許文献１】特許第３６５６６２０号公報
【発明の概要】
【発明が解決しようとする課題】
【０００４】
しかしながら、自在継手は高価であるため、楽器用スタンドが高価になるという課題があった。
【０００５】
本願は、上記の課題に鑑み提案されたものであって、高さ調整を容易に行うことができる安価な楽器用スタンドを提供することを目的とする。
【課題を解決するための手段】
【０００６】
本明細書は、各々高さ調整自在である複数の脚柱を備えるスタンド本体と、スタンド本体上に設置され、楽器が設置される楽器設置台と、弾性体を有し、スタンド本体と楽器設置台とを連結する連結部と、を備えることを特徴とする楽器用スタンドを開示する。このようにすれば、連結部は弾性体を有するので、例えば、脚柱の１つだけが高さ変更され、複数の脚柱の高さが不揃いとなった場合にも、弾性体が弾性変形して楽器設置台を支持することができる。このため、演奏者は脚柱の高さを１つずつ変更していくことができるため、容易に高さ調整することができる。自在継手と比較して安価な弾性体を用いることにより、自在継手を用いた楽器用スタンドよりも安価な楽器用スタンドを提供することができる。
【発明の効果】
【０００７】
本願に係る楽器用スタンドによれば、高さ調整を容易に行うことができる安価な楽器用スタンドを提供することができる。
【図面の簡単な説明】
【０００８】
【図１】実施形態に係る楽器用スタンドを含むビブラフォンの斜視図である。
【図２】連結部の分解斜視図である。
【図３】パイプを省略して示すビブラフォンの側面図である。
【図４】２つの脚柱の高さが不揃いとなった状態における楽器用スタンドの正面図である。
【発明を実施するための形態】
【０００９】
楽器用スタンド１０を備えるビブラフォン１の概略構成について、図１を用いて説明する。ここで、方向は、図１に示す、演奏者から見た方向を用いて説明する。ビブラフォン１は、幹音音板部５１、派生音音板部５２、幹音パイプ部６１、派生音パイプ部６２、および楽器用スタンド１０を備える。
【００１０】
楽器用スタンド１０は、楽器設置台２０、スタンド本体３０、および連結部７０などを有する。楽器設置台２０は、幹音音板部５１、派生音音板部５２、幹音パイプ部６１、および派生音パイプ部６２が設置されるものであり、１対の側枠２１，２１および４本の長枠２２を有する。棒状である１対の側枠２１，２１は、枠状の楽器設置台２０の左右辺を構成するものである。棒状である、４本の長枠２２のうちの２本は楽器設置台２０の前後辺を構成するものであり、残りの２本は前後方向の略中央に配設されている。
【００１１】
スタンド本体３０は、左右に配置された、各々高さ調整自在である１対の脚柱３１，３１と、１対の脚柱３１，３１を連結する連結バー３２を有する。
【００１２】
脚柱３１はキャスター３３，３３、台座３４、シリンダ３５、ピストンロッド３６、および支持部３７を有する。前後方向に延びる台座３４の前後方向における両端部の下面の各々には、キャスター３３が取り付けられている。脚柱３１はガススプリング構造を有し、ガス圧により、支持部３７を昇降する。シリンダ３５の下端部は台座３４に固定されている。ピストンロッド３６の上端部は支持部３７が固定されており、下端部には不図示のピストンが取り付けられている。ピストンがシリンダ３５の内部に収納されるように、ピストンロッド３６の下端部がシリンダ３５に挿入されている。気密性を有するシリンダ３５は、内部空間がピストンにより上下２つに区切られており、２つの内部空間にはオイルが封入されている。さらに、２つの内部空間のうち、下側の空間にはフリーピストン（不図示）で仕切られた空間に圧縮ガスが封入されている。また、ピストンには、２つに区切られた内部空間を連通するオリフィス（不図示）が形成されている。
【００１３】
圧縮ガスの圧力により、シリンダ３５に形成された２つの内部空間の各々には、他方の内部空間側へピストンを移動させる力が生じる。ここで、ピストンロッド３６はピストンの上側の面に接続されているため、ピストンの下側の内部空間と接する面積は、ピストンの上側の内部空間と接する面積よりも広い。このため、ピストンを移動させる力のうち、ピストンを上へ移動させる力の方が常に大きい。従って、支持部３７の上に側枠２１などが設置された状態で、例えば演奏者などが側枠２１の位置を高くしたい場合、即ち、脚柱３１を伸長させたい場合には、演奏者は軽い力で脚柱３１を伸長させ、側枠２１の設置位置を高くすることができる。尚、支持部３７の上に側枠２１などが設置され、ピストンロッド３６に荷重がかけられた場合には、荷重とピストンを上へ移動させる力との均衡に応じて、ピストンは上下に移動し、ピストンロッド３６は伸縮する。荷重が所定値より小さい場合にはピストンロッド３６は伸び、支持部３７は上昇する。一方、荷重が所定値より大きい場合にはピストンロッド３６は縮み、支持部３７は下降する。尚、脚柱３１の長さは、脚柱３１に設けられた不図示のストッパにより、シリンダ３５に対するピストンロッド３６の相対位置が固定されることにより、固定される。
【００１４】
楽器設置台２０はスタンド本体３０上に設置され、スタンド本体３０と楽器設置台２０とは連結部７０により連結される。連結部７０の詳細については、後述する。
【００１５】
幹音音板部５１および派生音音板部５２は、左右方向に並ぶ複数の音板５が不図示の紐により１綴りにされたものである。音板５は金属製の板であり、長辺の長さは音高に応じた長さとなっている。音板５は基本振動の節となる二箇所に、短辺方向に貫通する挿通孔（不図示）を有し、挿通孔に紐が挿通されることにより１綴りにされている。幹音音板部５１および派生音音板部５２は、それぞれ、楽器用スタンド１０の前側、後側に設置されている。詳しくは、幹音音板部５１および派生音音板部５２は、それぞれ、２本の長枠２２の上に設置されている。
【００１６】
幹音パイプ部６１および派生音パイプ部６２は、左右方向に並ぶ複数のパイプ６の上端部が金属製の板（不図示）に固定されることより、一列に連結されたものである。パイプ６は金属製であり、音高に応じた長さを有している。パイプ６の上端は開放されており、下端は閉塞されている。幹音パイプ部６１および派生音パイプ部６２は、それぞれ、幹音音板部５１および派生音音板部５２の下方に設置されている。詳しくは、幹音パイプ部６１および派生音パイプ部６２は、パイプ６を固定している金属製の板の両端部が側枠２１，２１に引っ掛けられて、吊るされている。音高毎に、音板５とパイプ６とが１組にされており、音板５が振動すると組であるパイプ６が共鳴する。尚、図１では、複数ある音板５およびパイプ６の一部にのみ符号を付している。
【００１７】
次に、連結部７０について、図２を用いて詳述する。連結部７０は、ゴム部材８０、プレート９０、つまみねじ７１、および雄ねじ７２などを有する。支持部３７はＴ字状であり、前後方向の中央位置にピストンロッド３６が挿入される挿入部３８が形成されている。支持部３７の上面３９の前後方向の端部には雌ねじ部４０，４０が形成されている。側枠２１のスタンド本体３０と対向する面である対向面２４の前後方向における端部には雌ねじ部２５，２５が形成されている。プレート９０は側枠２１の対向面２４および支持部３７の上面３９に沿う平板であり、前後方向の長さは、支持部３７の上面３９の前後方向の長さよりも長い。プレート９０には、側枠２１の雌ねじ部２５，２５に対向する位置に、上下方向に貫通する貫通孔９１，９１が形成されている。また、プレート９０には、支持部３７の雌ねじ部４０，４０に対向する位置に、上下方向に貫通する貫通孔９２，９２が形成されている。つまみねじ７１は雄ねじ部７１ａを有する。ゴム部材８０は、ゴム部８１と、金属製の雌ねじ部８２および雄ねじ部８３とが一体成型されたものである。ゴム部８１は振動の伝達を防ぐ防振性を有する、所謂、防振ゴム製で、円柱状の形状を有する。ゴム部材８０の雄ねじ部８３と、支持部３７の雌ねじ部４０とが螺合することにより、ゴム部材８０と支持部３７とが接続される。プレート９０の貫通孔９２を貫通した雄ねじ７２が、ゴム部材８０の雌ねじ部８２と螺合することにより、プレート９０とゴム部材８０が接続される。プレート９０の貫通孔９１を貫通したつまみねじ７１の雄ねじ部７１ａが側枠２１の雌ねじ部２５と螺合することにより、プレート９０と側枠２１とが接続される。
【００１８】
図３に示されるように、側枠２１および支持部３７がプレート９０を介して接続された状態では、プレート９０は側枠２１の下側に接し、プレート９０と支持部３７との間にゴム部材８０のゴム部８１が位置する。
【００１９】
ところで、ビブラフォン１の左右方向の長さは２ｍ程度と長く、幹音音板部５１および幹音パイプ部６１などは重い。このため、例えば演奏者が、幹音音板部５１および幹音パイプ部６１などが設置された状態で、楽器設置台２０の設置位置を高くしたい場合、一人で２つの脚柱３１の長さを同時に長くすることは難しい。ここで、連結部７０はゴム部８１を有するため、２つの脚柱３１の高さを１つずつ変更することができる。図４には、右側の脚柱３１の高さが左側の脚柱３１よりも高くなった場合における、ビブラフォン１の状態が描かれている。この場合にも、ゴム部８１は弾性変形して、楽器設置台２０とスタンド本体３０とを連結する。このように、２つの脚柱３１の高さが不揃いとなった場合にも、スタンド本体３０および連結部７０は楽器設置台２０をビブラフォン１が設置されている床面に対して傾斜させて支持することができる。このため、演奏者は脚柱３１の高さを１つずつ変更していくことができるため、容易に高さ調整することができる。
【００２０】
尚、ゴム部８１は、図４に示すような楽器設置台２０が傾斜された状態が繰り返された場合にも、ちぎれない耐久性を有している。また、ゴム部８１は引っ張り力に耐える強度を有している。例えば不慣れな作業者が、ビブラフォン１を運搬する際などに、誤って楽器設置台２０の下面に手を掛け、楽器設置台２０を上に持ち上げられてしまう場合がある。この場合、楽器設置台２０はゴム部８１を介してスタンド本体３０と接続されているため、スタンド本体３０の重量がゴム部８１にかかってしまう。この場合にも、ゴム部８１はスタンド本体３０の重量に耐える強度を有しているため、例えばちぎれてしまい、スタンド本体３０が落下することなどを回避することができる。
【００２１】
また、ビブラフォン１が演奏される際に、音板５が振動した場合、ゴム部８１は楽器設置台２０を介して伝達される振動の脚柱３１への伝達を抑制する。このため、ビブラフォン１の設置されている床に振動が伝達されることが抑制される。また、床から楽器設置台２０への振動の伝達が抑制されるため、ビブラフォン１の演奏時に、音板５およびパイプ６の振動することによる発音を阻害するノイズを軽減することができる。
【００２２】
さて、ビブラフォン１は、幹音音板部５１、派生音音板部５２、幹音パイプ部６１、派生音パイプ部６２、楽器設置台２０、およびスタンド本体３０などに分解可能に組み立てられたものである。これにより、演奏者は各部に分解し、各部を例えば乗用車などに積載して運搬することができる。ここで、楽器設置台２０とスタンド本体３０との接続を解除する場合には、つまみねじ７１を緩め、側枠２１とプレート９０との接続を解除すれば良い。側枠２１に雌ねじ部２５ではなく、雄ねじを形成する構成も考えられるが、雌ねじ部２５とすることで、プレート９０との接続を解除された場合にも、凸部が無いため、床などに安定して置くことができる。また、雌ねじ部２５とすることで、例えば、側枠２１の上面に、雄ねじを挿入するための孔を形成するなどの加工が不要となり、ビブラフォン１の見栄えを良くすることができる。
【００２３】
ここで、楽器用スタンド１０は楽器用スタンドの一例であり、スタンド本体３０はスタンド本体の一例であり、楽器設置台２０は楽器設置台の一例であり、連結部７０は連結部の一例であり、脚柱３１は脚柱の一例である。また、幹音音板部５１、派生音音板部５２、幹音パイプ部６１、および派生音パイプ部６２は楽器の一例である。また、プレート９０、つまみねじ７１、雄ねじ７２、および雌ねじ部８２は第１接続部の一例であり、雄ねじ部８３は第２接続部の一例であり、ゴム部８１は弾性体の一例である。また、プレート９０はプレートの一例であり、つまみねじ７１は固定具の一例である。
【００２４】
以上、説明した実施形態によれば、以下の効果を奏する。
連結部７０はゴム部８１を有するため、２つの脚柱３１の高さが不揃いとなった場合にも、楽器設置台２０を支持することができる。このため、演奏者は脚柱３１の高さを１つずつ変更していくことができるため、容易に高さ調整することができる。ゴム部８１は自在継手と比較して安価であるため、楽器用スタンド１０を安価に提供することができる。
【００２５】
また、ゴム部８１は楽器設置台２０と接続するプレート９０、つまみねじ７１、雄ねじ７２、および雌ねじ部８２と、支持部３７と接続する雄ねじ部８３との間に位置する。これにより、連結部７０はゴム部８１を介して楽器設置台２０とスタンド本体３０とを確実に連結することができる。
【００２６】
また、ゴム部８１と楽器設置台２０とは、プレート９０を介して、側枠２１の対向面２４において、つまみねじ７１で固定される。これにより、つまみねじ７１の固定を解除することにより、楽器設置台２０をスタンド本体３０から容易に取り外すことができ、運搬し易くすることができる。また、対向面２４で固定されるため、楽器設置台２０の見栄えを良くすることができる。
【００２７】
また、側枠２１は対向面２４に雌ねじ部２５を有し、プレート９０の貫通孔９１を貫通したつまみねじ７１の雄ねじ部７１ａが雌ねじ部２５と螺合することにより、プレート９０と側枠２１とが接続される。対向面２４に雌ねじ部２５を有することにより、楽器設置台２０とプレート９０との接続が解除された場合にも、対向面２４には凸部が無いため、楽器設置台２０を床などに安定して置くことができる。
【００２８】
また、ゴム部８１は、２つの脚柱３１の高さが不揃いとなった場合に、弾性変形して楽器設置台２０を支持するとともに、楽器設置台２０からスタンド本体３０への振動の伝達を抑制する。これにより、ビブラフォン１の演奏時に、音板５およびパイプ６が振動した際などに、ビブラフォン１の設置されている床に振動が伝達されてしまうことを抑制することができる。
【００２９】
尚、本発明は前記実施形態に限定されるものではなく、本発明の趣旨を逸脱しない範囲内での種々の改良、変更が可能であることは言うまでもない。
例えば、上記では、１つの支持部３７に対して、２つのゴム部材８０が前後方向の端部に固定される構成を例示したが、これに限定されない。例えば、ゴム部材８０の個数は１つでも、３つ以上でも良い。また、ゴム部材８０の支持部３７における配置位置は、端部に限らない。また、ゴム部８１の形状は円柱状に限定されない。形状を例えば四角柱状などとした１つのゴムを、長手方向を前後方向として、配置する構成などとしても良い。
【００３０】
また、上記では、ゴム部材８０が雌ねじ部８２および雄ねじ部８３を有する構成を例示したが、ねじの雌雄の組み合わせはこれに限定されない。プレート９０との接続のために、雄ねじ構造を有する構成としても良いし、スタンド本体３０との接続のために、雌ねじ構造を有する構成としても良い。また、プレート９０を介さずに、ゴム部材８０と側枠２１とを接続する構成としても良い。
【００３１】
また、上記では、楽器設置台２０の近傍にゴム部材８０が配置される構成を例示したが、ゴム部材８０の上下方向における配置位置は上記に限定されない。例えば、ゴム部材８０を台座３４と脚柱３１との間に配置する構成としても良い。
【００３２】
また、上記では、弾性体として、防振ゴム製であるゴム部８１を例示したが、弾性体はゴムに限定されない。例えば、シリコーン、エラストマーなどでも良い。また、スプリング、空気ばねなどでも良い。弾性体は、脚柱３１の高さが不揃いとなった場合に、弾性変形し、破損しない程度の強度があるものとすると良い。
【００３３】
また、上記では、ゴム部８１は、一体化された雌ねじ部８２および雄ねじ部８３により、プレート９０および支持部３７に接続される構成を例示したが、接続方法はこれに限定されない。例えば接着剤などで貼り付けられることにより、ゴムなどの弾性体が、上面３９およびプレート９０に直接、接続される構成としても良い。この場合には、上記したように、スタンド本体３０の重量に耐える、接着強度を有するようにすると良い。
【００３４】
また、上記では、楽器として、ビブラフォン１を構成する音源である、幹音音板部５１、派生音音板部５２、幹音パイプ部６１、および派生音パイプ部６２を例示したが、これに限定されない。例えば、シロフォン、マリンバなどの打楽器を構成する音源にも適用することができる。また、例えばキーボードなどの電子鍵盤楽器の設置にも適用することができる。
【符号の説明】
【００３５】
１  ビブラフォン
１０  楽器用スタンド
２０  楽器設置台
３０  スタンド本体
３１  脚柱
５１  幹音音板部
５２  派生音音板部
６１  幹音パイプ部
６２  派生音パイプ部
７０  連結部
７１  つまみねじ
７２  雄ねじ
８０  ゴム部材
８１  ゴム部
８２  雌ねじ部
８３  雄ねじ部
９０  プレート
【図１】
2018136512.tif 000003
【図２】
2018136512.tif 000004
【図３】
2018136512.tif 000005
【図４】
2018136512.tif 000006